(57)【要約】  ワイヤレス通信のための方法、装置、およびコンピュータ可読記録媒体が提供される。装置は、セルの復号を改善するために、干渉基地局からのリソース要素のスマートな処理を可能にする1つまたは複数の処理を実行することができる。方法は、干渉リソース要素の処理の複雑さを低減するために、リソース要素を優先順位付けるステップを含む。優先順位がヌル値または十分に小さい値に設定されている場合、一部のリソース要素は処理から除外されてよい。干渉送信機から受信されたサブフレーム中のリソース要素は、1つまたは複数のターゲット領域へとグループ化され、サービングセルおよび干渉セルとペアにされる。各々のペア化は優先順位付けられ、ペア化に割り当てられた優先順位に基づく順序で処理される。
2015523034.tif 000002
【特許請求の範囲】
【請求項１】
ワイヤレス通信の方法であって、
少なくとも1つの干渉送信機からの干渉を含むサブフレームを受信するステップと、
前記サブフレーム中のリソース要素(RE)を1つまたは複数のターゲット領域(TR)へとグループ化するステップであって、前記グループ化が少なくとも1つの基準に基づく、ステップと、
複数のTRセル(TRC)ペアを生成するステップであって、各TRCペアが、前記1つまたは複数のターゲット領域からのTRを、前記少なくとも1つの干渉送信機またはサービングセルの1つと関連付ける、ステップと、
前記複数のTRCペアの処理の優先順位を決定するステップと、
前記処理の優先順位に基づく順序でTRを処理するステップと
を含むことを特徴とする方法。
【請求項２】
前記複数のTRCペアを生成するステップが、前記1つまたは複数のターゲット領域の各々を前記少なくとも1つの干渉送信機および前記サービングセルの各々とペアにするステップを含むことを特徴とする請求項1に記載の方法。
【請求項３】
前記複数のTRCペアを生成するステップが、前記1つまたは複数のターゲット領域の各々を前記少なくとも1つの干渉送信機または前記サービングセルの1つとペアにするステップを含むことを特徴とする請求項1に記載の方法。
【請求項４】
前記処理の優先順位のうちの最高の処理の優先順位が、物理制御フォーマットインジケータチャネルを含むREを含むTRを有するTRCペアに割り当てられることを特徴とする請求項1に記載の方法。
【請求項５】
少なくとも1つのTRが、物理ダウンリンク制御チャネル、物理ダウンリンク共有チャネル、および物理制御フォーマットインジケータチャネルのうちの1つまたは複数に割り振られたREを含むことを特徴とする請求項1に記載の方法。
【請求項６】
前記複数のTRCペアの処理の優先順位を決定する前記ステップが、
第1の干渉送信機から受信された第1の信号に基づいて、前記複数のTRCペアの優先順位を初期化するステップと、
第2の干渉送信機から受信された第2の信号に基づいて、前記複数のTRCペアの前記優先順位を変更するステップとを含むことを特徴とする請求項1に記載の方法。
【請求項７】
前記複数のTRCペアの優先順位を初期化する前記ステップが、前記1つまたは複数のTRにおける前記第1の信号および前記第2の信号の相対的な電力レベルを決定するステップを含むことを特徴とする請求項6に記載の方法。
【請求項８】
前記複数のTRCペアの優先順位を初期化する前記ステップが、前記1つまたは複数のTRにおける前記第1の信号の存在または不在に基づいて優先順位を割り当てるステップを含むことを特徴とする請求項6に記載の方法。
【請求項９】
前記第1の信号が、物理ダウンリンク制御チャネル、物理ダウンリンク共有チャネル、および物理制御フォーマットインジケータチャネルのうちの1つまたは複数を含むREと関連付けられることを特徴とする請求項8に記載の方法。
【請求項１０】
前記複数のTRCペアの前記優先順位を変更する前記ステップが、前記1つまたは複数のTRにおける前記第1の信号と前記第2の信号との電力レベルの差を決定するステップを含むことを特徴とする請求項6に記載の方法。
【請求項１１】
前記複数のTRCペアの前記優先順位を変更するステップが、第1の干渉送信機と関連付けられる電力レベルが第2の干渉送信機と関連付けられる電力レベルよりも高いとき、前記第2の干渉送信機と関連付けられるTRを有するTRCペアに割り当てられる優先順位よりも高い優先順位を、前記第1の干渉送信機と関連付けられるTRを有するTRCペアに割り当てるステップを含むことを特徴とする請求項10に記載の方法。
【請求項１２】
TRを処理する前記ステップが、最高の優先順位のTRCペアのTRを処理するステップを含み、前記処理するステップの結果に基づいて、前記複数のTRCペアの処理の優先順位を変更するステップをさらに含むことを特徴とする請求項1に記載の方法。
【請求項１３】
前記処理するステップの前記結果が、物理ダウンリンク制御チャネル、物理ダウンリンク共有チャネル、および物理制御フォーマットインジケータチャネルのうちの1つまたは複数の不在を示すとき、前記複数のTRCペアの前記処理の優先順位を変更するステップが、NULLの優先順位をTRに割り当てるステップを含むことを特徴とする請求項12に記載の方法。
【請求項１４】
ワイヤレス通信のための装置であって、
少なくとも1つの干渉送信機からの干渉を含むサブフレームを受信するための手段と、
前記サブフレーム中のリソース要素(RE)を1つまたは複数のターゲット領域(TR)へとグループ化するための手段であって、前記グループ化が少なくとも1つの基準に基づく、手段と、
複数のTRセル(TRC)ペアを生成するための手段であって、各TRCペアが、前記1つまたは複数のターゲット領域からのTRを、前記少なくとも1つの干渉送信機またはサービングセルの1つと関連付ける、手段と、
前記複数のTRCペアの処理の優先順位を決定するための手段と、
前記処理の優先順位に基づく順序でTRを処理するための手段とを含む、装置。
【請求項１５】
前記複数のTRCペアを生成することが、前記1つまたは複数のターゲット領域の各々を前記少なくとも1つの干渉送信機および前記サービングセルの各々とペアにすることを含むことを特徴とする請求項14に記載の装置。
【請求項１６】
前記複数のTRCペアを生成することが、前記1つまたは複数のターゲット領域の各々を前記少なくとも1つの干渉送信機または前記サービングセルの1つとペアにすることを含むことを特徴とする請求項14に記載の装置。
【請求項１７】
前記処理の優先順位のうちの最高の処理の優先順位が、物理制御フォーマットインジケータチャネルを含むREを含むTRを有するTRCペアに割り当てられることを特徴とする請求項14に記載の装置。
【請求項１８】
少なくとも1つのTRが、物理ダウンリンク制御チャネル、物理ダウンリンク共有チャネル、および物理制御フォーマットインジケータチャネルのうちの1つまたは複数に割り振られたREを含むことを特徴とする請求項14に記載の装置。
【請求項１９】
前記複数のTRCペアの処理の優先順位を決定するための前記手段が、第1の干渉送信機から受信された第1の信号に基づいて、前記複数のTRCペアの優先順位を初期化し、第2の干渉送信機から受信された第2の信号に基づいて、前記複数のTRCペアの前記優先順位を変更することを特徴とする請求項14に記載の装置。
【請求項２０】
前記複数のTRCペアの処理の優先順位を決定するための前記手段が、前記1つまたは複数のTRにおける前記第1の信号および前記第2の信号の相対的な電力レベルを決定することを特徴とする請求項19に記載の装置。
【請求項２１】
前記複数のTRCペアの処理の優先順位を決定するための前記手段が、前記1つまたは複数のTRにおける前記第1の信号の存在または不在に基づいて優先順位を割り当てることを特徴とする請求項19に記載の装置。
【請求項２２】
前記第1の信号が、物理ダウンリンク制御チャネル、物理ダウンリンク共有チャネル、および物理制御フォーマットインジケータチャネルのうちの1つまたは複数を含むREと関連付けられることを特徴とする請求項21に記載の装置。
【請求項２３】
前記複数のTRCペアの処理の優先順位を決定するための前記手段が、前記1つまたは複数のTRにおける前記第1の信号と前記第2の信号との電力レベルの差を決定することを特徴とする請求項19に記載の装置。
【請求項２４】
前記複数のTRCペアの処理の優先順位を決定するための前記手段が、第1の干渉送信機と関連付けられる電力レベルが第2の干渉送信機と関連付けられる電力レベルよりも高いとき、前記第2の干渉送信機と関連付けられるTRを有するTRCペアに割り当てられる優先順位よりも高い優先順位を、前記第1の干渉送信機と関連付けられるTRを有するTRCペアに割り当てることを特徴とする請求項23に記載の装置。
【請求項２５】
選択されたTRを処理するための前記手段が、最高の優先順位のTRCペアのTRを処理し、処理の優先順位を決定するための前記手段が、処理ステップの結果に基づいて、前記複数のTRCペアの処理の優先順位を変更することを特徴とする請求項14に記載の装置。
【請求項２６】
前記処理ステップの前記結果が、物理ダウンリンク制御チャネル、物理ダウンリンク共有チャネル、および物理制御フォーマットインジケータチャネルのうちの1つまたは複数の不在を示すとき、前記複数のTRCペアの前記処理の優先順位が、NULLの優先順位をTRに割り当てることによって変更されることを特徴とする請求項25に記載の装置。
【請求項２７】
処理システムを含む、ワイヤレス通信のための装置であって、
前記処理システムが、
少なくとも1つの干渉送信機からの干渉を含むサブフレームを受信し、
前記サブフレーム中のリソース要素(RE)を1つまたは複数のターゲット領域(TR)へとグループ化し、このとき前記グループ化が少なくとも1つの基準に基づき、
複数のTRセル(TRC)ペアを生成し、このとき各TRCペアが、前記1つまたは複数のターゲット領域からのTRを、前記少なくとも1つの干渉送信機またはサービングセルの1つと関連付け、
前記複数のTRCペアの処理の優先順位を決定し、
前記処理の優先順位に基づく順序でTRを処理するように構成されることを特徴とする装置。
【請求項２８】
前記複数のTRCペアを生成することが、前記1つまたは複数のターゲット領域の各々を前記少なくとも1つの干渉送信機および前記サービングセルの各々とペアにすることを含むことを特徴とする請求項27に記載の装置。
【請求項２９】
前記複数のTRCペアを生成することが、前記1つまたは複数のターゲット領域の各々を前記少なくとも1つの干渉送信機または前記サービングセルの1つとペアにすることを含むことを特徴とする請求項27に記載の装置。
【請求項３０】
前記処理の優先順位のうちの最高の処理の優先順位が、物理制御フォーマットインジケータチャネルを含むREを含むTRを有するTRCペアに割り当てられることを特徴とする請求項27に記載の装置。
【請求項３１】
少なくとも1つのTRが、物理ダウンリンク制御チャネル、物理ダウンリンク共有チャネル、および物理制御フォーマットインジケータチャネルのうちの1つまたは複数に割り振られたREを含むことを特徴とする請求項27に記載の装置。
【請求項３２】
処理の優先順位が、前記複数のTRCペアに対して、
第1の干渉送信機から受信された第1の信号に基づいて、前記複数のTRCペアの優先順位を初期化し、
第2の干渉送信機から受信された第2の信号に基づいて、前記複数のTRCペアの前記優先順位を変更することによって決定されることを特徴とする請求項27に記載の装置。
【請求項３３】
前記複数のTRCペアの優先順位を初期化することが、前記1つまたは複数のTRにおける前記第1の信号および前記第2の信号の相対的な電力レベルを決定することを含むことを特徴とする請求項32に記載の装置。
【請求項３４】
前記複数のTRCペアの優先順位を初期化するステップが、前記1つまたは複数のTRにおける前記第1の信号の存在または不在に基づいて優先順位を割り当てるステップを含むことを特徴とする請求項32に記載の装置。
【請求項３５】
前記第1の信号が、物理ダウンリンク制御チャネル、物理ダウンリンク共有チャネル、および物理制御フォーマットインジケータチャネルのうちの1つまたは複数を含むREと関連付けられることを特徴とする請求項34に記載の装置。
【請求項３６】
前記処理システムが、前記1つまたは複数のTRにおける前記第1の信号と前記第2の信号との電力レベルの差を決定することによって、前記複数のTRCペアの前記優先順位を変更するように構成されることを特徴とする請求項32に記載の装置。
【請求項３７】
前記処理システムが、第1の干渉送信機と関連付けられる電力レベルが第2の干渉送信機と関連付けられる電力レベルよりも高いとき、前記第2の干渉送信機と関連付けられるTRを有するTRCペアに割り当てられる優先順位よりも高い優先順位を、前記第1の干渉送信機と関連付けられるTRを有するTRCペアに割り当てることによって、前記複数のTRCペアの前記優先順位を変更するように構成されることを特徴とする請求項36に記載の装置。
【請求項３８】
前記処理システムが、最高の優先順位のTRCペアのターゲット領域を処理することによって、選択されたTRを処理するように構成され、前記処理システムがさらに、処理ステップの結果に基づいて、前記複数のTRCペアの処理の優先順位を変更するように構成されることを特徴とする請求項27に記載の装置。
【請求項３９】
前記処理ステップの前記結果が、物理ダウンリンク制御チャネル、物理ダウンリンク共有チャネル、および物理制御フォーマットインジケータチャネルのうちの1つまたは複数の不在を示すとき、前記処理システムが、NULLの優先順位をTRに割り当てることによって、前記複数のTRCペアの前記処理の優先順位を変更するように構成されることを特徴とする請求項38に記載の装置。
【請求項４０】
少なくとも1つの干渉送信機からの干渉を含むサブフレームを受信し、
前記サブフレーム中のリソース要素(RE)を1つまたは複数のターゲット領域(TR)へとグループ化し、このとき前記グループ化が少なくとも1つの基準に基づき、
複数のTRセル(TRC)ペアを生成し、このとき各TRCペアが、前記1つまたは複数のターゲット領域からのTRを、前記少なくとも1つの干渉送信機またはサービングセルの1つと関連付け、
前記複数のTRCペアの処理の優先順位を決定し、
前記処理の優先順位に基づく順序でTRを処理する
ためのコードを含むことを特徴とするコンピュータ可読記録媒体。
【請求項４１】
前記複数のTRCペアを生成することが、前記1つまたは複数のターゲット領域の各々を前記少なくとも1つの干渉送信機および前記サービングセルの各々とペアにすることを含むことを特徴とする請求項40に記載のコンピュータ可読記録媒体。
【請求項４２】
前記複数のTRCペアを生成することが、前記1つまたは複数のターゲット領域の各々を前記少なくとも1つの干渉送信機または前記サービングセルの1つとペアにすることを含むことを特徴とする請求項40に記載のコンピュータ可読記録媒体。
【請求項４３】
前記処理の優先順位のうちの最高の処理の優先順位が、物理制御フォーマットインジケータチャネルを含むREを含むTRを有するTRCペアに割り当てられることを特徴とする請求項40に記載のコンピュータ可読記録媒体。
【請求項４４】
少なくとも1つのTRが、物理ダウンリンク制御チャネル、物理ダウンリンク共有チャネル、および物理制御フォーマットインジケータチャネルのうちの1つまたは複数に割り振られたREを含むことを特徴とする請求項40に記載のコンピュータ可読記録媒体。
【請求項４５】
前記複数のTRCペアの処理の優先順位を決定するための前記コードが、
第1の干渉送信機から受信された第1の信号に基づいて、前記複数のTRCペアの優先順位を初期化し、
第2の干渉送信機から受信された第2の信号に基づいて、前記複数のTRCペアの前記優先順位を変更するためのコードを含むことを特徴とする請求項40に記載のコンピュータ可読記録媒体。
【請求項４６】
前記複数のTRCペアの優先順位を初期化するための前記コードが、前記1つまたは複数のTRにおける前記第1の信号および前記第2の信号の相対的な電力レベルを決定するためのコードを含むことを特徴とする請求項45に記載のコンピュータ可読記録媒体。
【請求項４７】
前記複数のTRCペアの優先順位を初期化するための前記コードが、前記1つまたは複数のTRにおける前記第1の信号の存在または不在に基づいて優先順位を割り当てるためのコードを含むことを特徴とする請求項45に記載のコンピュータ可読記録媒体。
【請求項４８】
前記第1の信号が、物理ダウンリンク制御チャネル、物理ダウンリンク共有チャネル、および物理制御フォーマットインジケータチャネルのうちの1つまたは複数を含むREと関連付けられることを特徴とする請求項47に記載のコンピュータ可読記録媒体。
【請求項４９】
前記複数のTRCペアの前記優先順位を変更するための前記コードが、前記1つまたは複数のTRにおける前記第1の信号と前記第2の信号との電力レベルの差を決定するためのコードを含むことを特徴とする請求項45に記載のコンピュータ可読記録媒体。
【請求項５０】
前記複数のTRCペアの前記優先順位を変更するための前記コードが、第1の干渉送信機と関連付けられる電力レベルが第2の干渉送信機と関連付けられる電力レベルよりも高いとき、前記第2の干渉送信機と関連付けられるTRを有するTRCペアに割り当てられる優先順位よりも高い優先順位を、前記第1の干渉送信機と関連付けられるTRを有するTRCペアに割り当てるためのコードを含むことを特徴とする請求項49に記載のコンピュータ可読記録媒体。
【請求項５１】
選択されたターゲット領域を処理するための前記コードが、最高の優先順位のTRCペアのTRを処理するためのコードを含み、処理ステップの結果に基づいて、前記複数のTRCペアの処理の優先順位を変更するためのコードをさらに含むことを特徴とする請求項40に記載のコンピュータ可読記録媒体。
【請求項５２】
前記処理ステップの前記結果が、物理ダウンリンク制御チャネル、物理ダウンリンク共有チャネル、および物理制御フォーマットインジケータチャネルのうちの1つまたは複数の不在を示すとき、前記複数のTRCペアの前記処理の優先順位を変更するための前記コードが、NULLの優先順位をTRに割り当てるためのコードを含むことを特徴とする請求項51に記載のコンピュータ可読記録媒体。
【発明の詳細な説明】
【技術分野】
【０００１】
本開示は全般に通信システムに関し、より具体的は、ワイヤレス通信システムにおける復号を最適化するための方法に関する。
【０００２】
関連出願の相互参照
本出願は、2012年7月19日に出願された「ORDERING AND PROCESSING OF INTERFERING CHANNELS FOR REDUCED COMPLEXITY IMPLEMENTATION」という表題の米国仮出願第61/673,693号、および2013年7月16日に出願された「ORDERING AND PROCESSING OF INTERFERING CHANNELS FOR REDUCED COMPLEXITY IMPLEMENTATION」という表題の米国特許出願第13/943,348号の利益を主張し、これらは全体が参照によって本明細書に明確に組み込まれる。
【背景技術】
【０００３】
電話、ビデオ、データ、メッセージング、および放送などの様々な遠隔通信サービスを提供するために、ワイヤレス通信システムが広範囲に配備されている。通常のワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが自治体、国家、地域、さらには地球規模のレベルで通信するのを可能にする共通プロトコルを提供するために、様々な遠隔通信規格において採用されている。台頭しつつある遠隔通信規格の例は、Long Term Evolution (LTE)である。LTEは、第3世代パートナーシッププロジェクト(3GPP)によって公表されたUniversal Mobile Telecommunications System(UMTS)モバイル規格に対する拡張のセットである。これは、スペクトル効率を改善することによってモバイルブロードバンドインターネットアクセスをよりよくサポートし、コストを下げ、サービスを改善し、新しいスペクトルを利用し、ダウンリンク(DL)上のOFDMAとアップリンク(UL)上のSC-FDMAと他入力多出力(MIMO)アンテナ技術とを使用して他のオープン規格とより良好に統合されるように設計されている。しかしながら、モバイルブロードバンドアクセスに対する需要が増加し続けるのに伴い、LTE技術のさらなる改善が必要である。好ましくは、これらの改善は、他の多元接続技術、およびこれらの技術を利用する遠隔通信規格に適用可能であるべきである。
【発明の概要】
【課題を解決するための手段】
【０００５】
本開示のある態様では、方法、コンピュータプログラム製品、および装置が提供される。装置は、ユーザ機器において具現化されてよく、サービングセルの復号を改善するために、干渉基地局からのリソース要素(RE)のスマートな処理を可能にする1つまたは複数の処理を実行することができる。方法は、干渉REの処理の複雑さを低減するために、REを優先順位付けるステップを含む。優先順位がヌル値または十分に小さい値に設定されている場合、一部のREは処理から除外されてよい。この優先順位付けの方式が、受信機の性能を最適化できる。
【０００６】
本開示のある態様では、少なくとも1つの干渉送信機からの干渉を含むサブフレームが受信される。サブフレーム中のREは、ある基準に基づいて、1つまたは複数のサブ区画またはターゲット領域(TR)へとグループ化され得る。TRセル(TRC)ペアが生成され、各TRCペアは、1つまたは複数のターゲット領域からのTRを、少なくとも1つの干渉送信機またはサービングセルの1つと関連付ける。処理の優先順位は、TRCペアに対して決定される。その後、TRは、処理の優先順位に基づく順序で処理される。
【０００７】
本開示のある態様では、TRCペアは、1つまたは複数のTRの各々を少なくとも1つの干渉送信機およびサービングセルの各々とペアにすることによって生成され得る。
【０００８】
本開示のある態様では、TRCペアは、1つまたは複数のTRの各々を少なくとも1つの干渉送信機またはサービングセルの1つとペアにすることによって生成され得る。
【０００９】
本開示のある態様では、処理の優先順位のうちの最高の処理の優先順位は、物理制御フォーマットインジケータチャネルを含むREを含むTRを有するTRCペアに割り当てられる。
【００１０】
本開示のある態様では、TRは、物理ダウンリンク制御チャネルまたは物理ダウンリンク共有チャネルに割り振られるREを含み得る。TRは、物理制御フォーマットインジケータチャネルに割り振られるREを含み得る。
【００１１】
本開示のある態様では、処理の優先順位は、第1の干渉送信機またはセルから受信された第1の信号に基づいて、1つまたは複数のTRCペアの優先順位を初期化することによって、TRCペアに対して決定され得る。1つまたは複数のTRCペアの優先順位は、第2の干渉送信機またはセルから受信された第2の信号に基づいて変更され得る。いくつかの態様では、TRCペアの優先順位は、1つまたは複数のTRにおける第1の信号の存在または不在に基づいて優先順位を割り当てることによって初期化され得る。一例では、第1の信号は、物理ダウンリンク制御チャネル、物理ダウンリンク共有チャネル、および物理制御フォーマットインジケータチャネルのうちの1つまたは複数を含む、REと関連付けられる。たとえば、第1の信号または第2の信号がPCFICHに割り振られたREと関連付けられる場合、UEは、PCFICHに割り振られたREを含むTRを有するTRCペアに最高の処理の優先順位を割り当てることによって、TRCペアの処理の優先順位を初期化することができる。PCFICHに割り振られたREを含むTRは、干渉送信機またはサービングセルの1つと関連付けられ得る。
【００１２】
いくつかの態様では、1つまたは複数のTRにおける第1の信号と第2の信号の相対的な電力レベルの決定に基づいて、優先順位がTRCペアに対して初期化される。TRCペアの優先順位は、TRにおける第1の信号と第2の信号との電力レベルの差の決定に基づいて変更され得る。電力レベルは、物理ダウンリンク制御チャネル、物理ダウンリンク共有チャネル、および物理制御フォーマットインジケータチャネルのうちの1つまたは複数と関連付けられ得る。
【００１３】
本開示のある態様では、TRCペアの優先順位は、第1の干渉送信機と関連付けられるTRの電力レベルが第2の干渉送信機と関連付けられるTRの電力レベルよりも高いとき、第2の干渉送信機と関連付けられるTRを有するTRCペアに割り当てられる優先順位よりも高い優先順位を、第1の干渉送信機と関連付けられるTRを有するTRCペアに割り当てることによって、変更され得る。
【００１４】
本開示のある態様では、選択されたTRは、最高の優先順位のTRCに対応するTRを処理することによって処理される。残りのTRCペアの処理の優先順位は、処理ステップの結果に基づいて変更され得る。処理ステップの結果がダウンリンクグラントの不在を示すとき、残りのTRCペアの処理の優先順位は、NULLの優先順位をTRCペアに割り当てることによって変更され得る。処理ステップの結果が、対応するセルに対して、物理ダウンリンク制御チャネル、物理ダウンリンク共有チャネル、および物理制御フォーマットインジケータチャネルのうちの1つまたは複数の不在を示すとき、処理されていないTRCペアの処理の優先順位は、NULLの優先順位をTRCペアに割り当てることによって変更され得る。
【図面の簡単な説明】
【００１５】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーンの無線プロトコルアーキテクチャの一例を示す図である。
【図６】アクセスネットワーク中の発展型ノードBおよびユーザ機器の一例を示す図である。
【図７】異種ネットワークにおける範囲が拡張されたセルラー領域を示す図である。
【図８】LTEにおけるDLフレーム構造のターゲット領域の簡略化された例を示す図である。
【図９】1つのサービングセルおよび2つの干渉セルからの同時の信号送信を示す図である。
【図１０】ワイヤレス通信の方法のフローチャートである。
【図１１】例示的な装置における異なるモジュール/手段/コンポーネント間のデータフローを示す概念的なデータフロー図である。
【図１２】処理システムを使用する装置のためのハードウェア実装の一例を示す図である。
【発明を実施するための形態】
【００１６】
添付の図面に関して以下に記載される詳細な説明は、様々な構成の説明として意図されており、本明細書で説明される概念が実施され得る唯一の構成を表すことは意図されていない。発明を実施するための形態は、様々な概念の完全な理解をもたらす目的で、具体的な詳細を含んでいる。しかし、これらの概念がこれらの具体的な詳細を伴わずに実施され得ることが、当業者には明らかであろう。場合によっては、そのような概念を曖昧にするのを回避する目的で、周知の構造およびコンポーネントがブロック図の形式で示されている。
【００１７】
次に、遠隔通信システムのいくつかの態様が、様々な装置および方法を参照して提示される。これらの装置および方法は、以下の発明を実施するための形態で説明され、様々なブロック、モジュール、コンポーネント、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装され得る。そのような要素をハードウェアとして実装するか、ソフトウェアとして実装するかは、具体的な適用例および全体的なシステムに課された設計制約に依存する。
【００１８】
例として、要素または要素の任意の部分または要素の任意の組合せは、1つまたは複数のプロセッサを含む「処理システム」で実装され得る。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１９】
したがって、1つまたは複数の例示的な実施形態では、説明される機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送または記憶するために使用され、かつコンピュータによってアクセスされ得る、任意の他の媒体を含み得る。本明細書で使用される場合、ディスク(disk)およびディスク(disc)は、コンパクトディスク(CD)、レーザーディスク(登録商標)、光ディスク、デジタル多用途ディスク(DVD)、およびフロッピー(登録商標)ディスクを含み、ディスク(disk)は、通常、磁気的にデータを再生し、ディスク(disc)は、レーザーで光学的にデータを再生する。上記の組合せもコンピュータ可読媒体の範囲内に含まれるべきである。
【００２０】
図1は、LTEネットワークアーキテクチャ100を示す図である。LTEネットワークアーキテクチャ100は、Evolved Packet System (EPS)100と呼ばれることがある。EPS 100は、1つまたは複数のユーザ機器(UE)102と、Evolved UMTS Terrestrial Radio Access Network (E-UTRAN)104と、Evolved Packet Core (EPC)110と、Home Subscriber Server (HSS)120と、事業者のIPサービス122とを含み得る。EPSは、他のアクセスネットワークと相互接続し得るが、簡単にするために、それらのエンティティ/インターフェースは示されていない。示されるように、EPSはパケット交換サービスを提供するが、当業者が容易に諒解するように、本開示の全体を通して提示される様々な概念は、回線交換サービスを提供するネットワークに拡張され得る。
【００２１】
E-UTRANは、evolved Node B(eNB)106および他のeNB 108を含む。eNB 106は、UE 102に対してユーザプレーンプロトコル終端と制御プレーンプロトコル終端とを与える。eNB 106は、バックホール(たとえばX2インターフェース)を介して他のeNB 108に接続され得る。eNB 106は、基地局、トランシーバ基地局、無線基地局、無線トランシーバ、トランシーバ機能、基本サービスセット(BSS)、拡張サービスセット(ESS)と呼ばれるか、または他の何らかの適切な用語で呼ばれることもある。eNB 106は、UE 102のためにEPC 110へのアクセスポイントを与える。UE 102の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスがある。UE 102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００２２】
eNB 106は、S1インターフェースによってEPC 110に接続される。EPC 110は、モビリティ管理エンティティ(MME)112、他のMME 114、サービングゲートウェイ116、およびパケットデータネットワーク(PDN)ゲートウェイ118を含む。MME 112は、UE 102とEPC 110との間のシグナリングを処理する制御ノードである。一般に、MME 112は、ベアラおよび接続の管理を行う。すべてのユーザIPパケットは、サービングゲートウェイ116を通じて転送され、サービングゲートウェイ116自体は、PDNゲートウェイ118に接続される。PDNゲートウェイ118は、UEのIPアドレス割振りならびに他の機能を提供する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含み得る。
【００２３】
図2は、LTEネットワークアーキテクチャにおけるアクセスネットワーク200の一例を示す図である。この例では、アクセスネットワーク200は、いくつかのセルラー領域(セル)202に分割される。1つまたは複数の低電力クラスeNB 208は、セル202のうちの1つまたは複数と重複するセルラー領域210を有し得る。低電力クラスeNB 208は、フェムトセル(たとえば、ホームeNB(HeNB))、ピコセル、マイクロセル、またはリモートレディオヘッド(RRH)であり得る。マクロeNB 204は各々、それぞれのセル202に割り当てられ、セル202中のすべてのUE 206のためにEPC 110へのアクセスポイントを提供するように構成される。アクセスネットワーク200のこの例では集中型コントローラはないが、代替的な構成では集中型コントローラが使用されてもよい。eNB 204は、無線ベアラ制御、アドミッション制御、モビリティ制御、スケジューリング、セキュリティ、およびサービングゲートウェイ116への接続を含む、すべての無線関連機能を担う。
【００２４】
アクセスネットワーク200によって使用される変調方式および多元接続方式は、展開されている具体的な遠隔通信規格に応じて異なり得る。LTEの適用例では、DL上ではOFDMが使用され、かつUL上ではSC-FDMAが使用されて、周波数分割複信(FDD)と時分割複信(TDD)の両方がサポートされる。当業者が以下の詳細な説明から容易に諒解するように、本明細書で提示される様々な概念は、LTEの適用例に好適である。しかしながら、これらの概念は、他の変調技法および多元接続技法を利用する他の遠隔通信規格に容易に拡張され得る。例として、これらの概念は、Evolution-Data Optimized (EV-DO)またはUltra Mobile Broadband (UMB)に拡張され得る。EV-DOおよびUMBは、CDMA2000規格ファミリの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を採用するUniversal Terrestrial Radio Access(UTRA)、TDMAを採用するGlobal System for Mobile Communications(GSM(登録商標))、ならびにOFDMAを採用するEvolved UTRA(E-UTRA)、IEEE 802.11(Wi-Fi)、IEEE 802.16(WiMAX)、IEEE 802.20、およびFlash-OFDMに拡張され得る。UTRA、E-UTRA、UMTS、LTE、およびGSM(登録商標)は、3GPP団体による文書に記述されている。CDMA2000およびUMBは、3GPP2団体による文書に記述されている。実際の利用されるワイヤレス通信規格、および多元接続技術は、具体的な用途およびシステムに課される全体的な設計制約に依存する。
【００２５】
eNB 204は、MIMO技術をサポートする複数のアンテナを有し得る。MIMO技術の使用により、eNB 204は空間領域を活用して、空間多重化、ビームフォーミング、および送信ダイバーシティをサポートすることが可能になる。同じ周波数で同時に様々なデータのストリームを送信するために、空間多重化が使用され得る。データストリームは、データレートを上げるために単一のUE 206に送信されてよく、または全体的なシステム容量を拡大するために複数のUE 206に送信されてもよい。これは、各データストリームを空間的にプリコーディングし(すなわち、振幅および位相のスケーリングを適用し)、次いで、空間的にプリコーディングされた各ストリームをDL上で複数の送信アンテナを通じて送信することによって、達成される。空間的にプリコーディングされたデータストリームは、異なる空間シグネチャとともにUE 206に到達し、これにより、UE 206の各々は、そのUE 206に向けられた1つまたは複数のデータストリームを復元することが可能になる。UL上では、各UE 206は、空間的にプリコーディングされたデータストリームを送信し、これにより、eNB 204は、空間的にプリコーディングされた各データストリームの源を特定することが可能になる。
【００２６】
空間多重化は、一般に、チャネル条件が良いときに使用される。チャネル条件があまり良好でないときは、送信エネルギーを1つまたは複数の方向に集中させるために、ビームフォーミングが使用され得る。これは、複数のアンテナを通じた送信のためにデータを空間的にプリコーディングすることによって達成され得る。セルの端において良好なカバレッジを達成するために、単一ストリームのビームフォーミング送信が、送信ダイバーシティと組み合わせて使用され得る。
【００２７】
以下の詳細な説明では、アクセスネットワークの様々な態様が、DL上でOFDMをサポートするMIMOシステムを参照して説明される。OFDMは、OFDMシンボル内でいくつかのサブキャリアにわたってデータを変調するスペクトル拡散技法である。サブキャリアは、正確な周波数で間隔を空ける。スペーシング(spacing)は、受信機がサブキャリアからのデータを復元することを可能にする「直交性」をもたらす。時間領域では、ガードインターバル(たとえば、サイクリックプレフィックス)が各OFDMシンボルに加えられて、OFDMシンボル間の干渉を抑制することができる。ULは、SC-FDMAをDFT拡散OFDM信号の形で使用して、高いピーク対平均電力比(PAPR)を補償することができる。
【００２８】
図3は、LTEにおけるDLフレーム構造の一例を示す図300である。フレーム(10ms)は、等しいサイズの10個のサブフレームに分割され得る。各サブフレームは、連続する2つのタイムスロットを含み得る。2つのタイムスロットを表すためにリソースグリッドが使用されてよく、各タイムスロットはリソースブロックを含む。リソースグリッドは、複数のREに分割される。LTEでは、リソースブロックは、周波数領域において連続する12個のサブキャリアを含み、各OFDMシンボル中の通常のサイクリックプレフィックスの場合、時間領域において連続する7個のOFDMシンボル、すなわち84個のREを含む。拡張サイクリックプレフィックスの場合、リソースブロックは、時間領域において連続する6個のOFDMシンボルを含み、72個のREを有する。R 302、304として示される、REのうちのいくつかは、DL基準信号(DL-RS)を含む。DL-RSは、セル固有RS(CRS)(共通RSと呼ばれることもある)302およびUE固有RS(UE-RS)304を含む。UE-RS 304は、対応する物理DL共有チャネル(PDSCH)のマッピング先であるリソースブロック上のみで送信される。各REによって搬送されるビットの数は、変調方式に依存する。したがって、UEが受信するリソースブロックが多いほど、かつ変調方式が高いほど、UEのデータレートは高くなる。
【００２９】
図4は、LTEにおけるULフレーム構造の一例を示す図400である。ULのための利用可能なリソースブロックは、データセクションと制御セクションとに区分され得る。制御セクションは、システム帯域幅の2つの端部に形成されてよく、構成可能なサイズを有し得る。制御セクションのリソースブロックは、制御情報の送信のためにUEに割り当てられ得る。データセクションは、制御セクションに含まれないすべてのリソースブロックを含み得る。このULフレーム構造により、データセクションは連続的なサブキャリアを含むことになり、これにより、単一のUEが、データセクション中の連続的なサブキャリアのすべてを割り当てられるようになり得る。
【００３０】
制御情報をeNBに送信するために、UEは、制御セクション中のリソースブロック410a、410bを割り当てられ得る。UEはまた、データをeNBに送信するために、データセクション中のリソースブロック420a、420bを割り当てられ得る。UEは、制御セクション中の割り当てられたリソースブロック上の物理UL制御チャネル(PUCCH)中で、制御情報を送信することができる。UEは、データセクション中の割り当てられたリソースブロック上の物理UL共有チャネル(PUSCH)中で、データのみ、またはデータと制御情報の両方を送信することができる。UL送信は、サブフレームの両方のスロットにわたってもよく、周波数にまたがってホッピングしてもよい。
【００３１】
初期システムアクセスを実行し、物理ランダムアクセスチャネル(PRACH)430中でUL同期を達成するために、1組のリソースブロックが使用され得る。PRACH 430は、ランダムシーケンスを搬送し、いかなるULデータ/シグナリングも搬送できない。各ランダムアクセスプリアンブルは、連続する6個のリソースブロックに対応する帯域幅を占める。開始周波数は、ネットワークによって指定される。すなわち、ランダムアクセスプリアンブルの送信は、いくつかの時間リソースおよび周波数リソースに制限される。PRACHでは、周波数ホッピングはない。PRACHの試行は、単一のサブフレーム(1ms)中で、または少数の連続的なサブフレームのシーケンス中で搬送され、UEは、フレーム(10ms)ごとに単一のPRACHの試行しか行うことができない。
【００３２】
図5は、LTEにおけるユーザプレーンおよび制御プレーンの無線プロトコルアーキテクチャの一例を示す図500である。UEおよびeNBの無線プロトコルアーキテクチャは、レイヤ1、レイヤ2、およびレイヤ3という3つのレイヤで示される。レイヤ1(L1レイヤ)は、最下位レイヤであり、様々な物理レイヤ信号処理機能を実施する。本明細書では、L1レイヤは物理レイヤ506と呼ばれる。レイヤ2(L2レイヤ)508は、物理レイヤ506の上にあり、物理レイヤ506を介したUEとeNBとの間のリンクを担う。
【００３３】
ユーザプレーンでは、L2レイヤ508は、媒体アクセス制御(MAC)サブレイヤ510、無線リンク制御(RLC)サブレイヤ512、およびパケットデータコンバージェンスプロトコル(PDCP)サブレイヤ514を含み、これらは、ネットワーク側のeNBにおいて終端する。示されていないが、UEは、L2レイヤ508の上にいくつかの上位レイヤを有してよく、これらは、ネットワーク側のPDNゲートウェイ118において終端するネットワークレイヤ(たとえば、IPレイヤ)と、接続の他端(たとえば、遠端UE、サーバなど)において終端するアプリケーションレイヤとを含む。
【００３４】
PDCPサブレイヤ514は、異なる無線ベアラと論理チャネルとの間の多重化を行う。PDCPサブレイヤ514は、無線送信のオーバーヘッドを低減するための上位レイヤのデータパケットのヘッダ圧縮、データパケットを暗号化することによるセキュリティ、およびeNB間のUEのハンドオーバのサポートも提供する。RLCサブレイヤ512は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ510は、論理チャネルとトランスポートチャネルとの間の多重化を行う。MACサブレイヤ510はまた、1つのセルの中の様々な無線リソース(たとえばリソースブロック)の複数のUEへの割り当てを担う。MACサブレイヤ510はまた、HARQ動作も担う。
【００３５】
制御プレーンでは、UEおよびeNBの無線プロトコルアーキテクチャは、制御プレーンのヘッダ圧縮機能がないことを除いて、物理レイヤ506およびL2レイヤ508に関して実質的に同じである。制御プレーンはまた、レイヤ3(L3レイヤ)中に無線リソース制御(RRC)サブレイヤ516を含む。RRCサブレイヤ516は、無線リソース(すなわち、無線ベアラ)を取得すること、およびeNBとUEとの間のRRCシグナリングを使用して下位レイヤを構成することを担う。
【００３６】
図6は、アクセスネットワーク中でUE 650と通信しているeNB 610のブロック図である。DLでは、コアネットワークからの上位層パケットが、コントローラ/プロセッサ675に与えられる。コントローラ/プロセッサ675は、L2層の機能を実施する。DLでは、コントローラ/プロセッサ675は、ヘッダ圧縮、暗号化、パケットのセグメント化および並べ替え、論理チャネルとトランスポートチャネルとの間の多重化、ならびに、様々な優先度メトリックに基づくUE 650への無線リソース割振りを行う。コントローラ/プロセッサ675はまた、HARQ動作、損失パケットの再送、およびUE 650へのシグナリングを担う。
【００３７】
送信(TX)プロセッサ616は、L1層(すなわち、物理層)のための様々な信号処理機能を実施する。これらの信号処理機能は、UE 650における順方向誤り訂正(FEC)を容易にするための符号化およびインタリービングと、様々な変調方式(たとえば、2値位相偏移変調(BPSK)、直交位相偏移変調(QPSK)、M位相偏移変調(M-PSK)、M直交振幅変調(M-QAM))に基づく信号コンスタレーションへのマッピングとを含む。次いで、符号化され変調されたシンボルは、並列ストリームに分割される。次いで、各ストリームは、OFDMサブキャリアにマッピングされ、時間および/または周波数領域で基準信号(たとえば、パイロット)と多重化され、次いで逆高速フーリエ変換(IFFT)を使用して一緒に結合されて、時間領域OFDMシンボルストリームを搬送する物理チャネルが生成される。OFDMストリームは、空間的にプリコーディングされて、複数の空間ストリームが生成される。チャネル推定器674からのチャネル推定値が、符号化および変調の方式を決定するために、かつ空間処理のために使用され得る。チャネル推定値は、UE 650によって送信された基準信号および/またはチャネル状態のフィードバックから導出され得る。次いで、各空間ストリームは、別個の送信機618TXを介して異なるアンテナ620に与えられる。各送信機618TXは、送信用のそれぞれの空間ストリームによってRF搬送波を変調する。
【００３８】
UE 650において、各受信機654RXは、それぞれのアンテナ652を通じて信号を受信する。各受信機654RXは、RF搬送波上に変調された情報を復元し、この情報を受信機(RX)プロセッサ656に与える。RXプロセッサ656は、L1レイヤの様々な信号処理機能を実施する。RXプロセッサ656は、情報に対して空間処理を実行して、UE 650に向けられたあらゆる空間ストリームを復元する。複数の空間ストリームがUE 650に向けられている場合、これらは、RXプロセッサ656によって単一のOFDMシンボルストリームへと結合され得る。次いで、RXプロセッサ656は、高速フーリエ変換(FFT)を使用して、OFDMシンボルストリームを時間領域から周波数領域に変換する。周波数領域信号は、OFDM信号の各サブキャリアに対して別個のOFDMシンボルストリームを含む。各サブキャリア上のシンボル、および基準信号は、eNB 610によって送信された最も可能性の高い信号コンスタレーションポイントを決定することによって、復元され復調される。これらの軟判定は、チャネル推定器658によって計算されたチャネル推定値に基づき得る。次いで、軟判定は復号されデインタリーブされて、物理チャネル上でeNB 610によって最初に送信されていたデータおよび制御信号が復元される。次いで、データおよび制御信号は、コントローラ/プロセッサ659に与えられる。
【００３９】
コントローラ/プロセッサ659は、L2レイヤを実装する。コントローラ/プロセッサは、プログラムコードおよびデータを記憶するメモリ660と関連付けられ得る。メモリ660は、コンピュータ可読媒体と呼ばれ得る。ULにおいて、コントローラ/プロセッサ659は、トランスポートチャネルと論理チャネルとの間の逆多重化、パケット再構築、復号、ヘッダ圧縮解除、制御信号処理を行って、UE 650からの上位レイヤパケットを復元する。次いで、上位レイヤパケットはデータシンク662に与えられ、データシンク662は、L2レイヤの上のすべてのプロトコルレイヤを表す。様々な制御信号も、L3処理のためにデータシンク662に与えられ得る。コントローラ/プロセッサ659はまた、HARQ動作をサポートするために、肯定応答(ACK)および/または否定応答(NACK)プロトコルを使用した誤り検出を担う。
【００４０】
ULでは、上位レイヤパケットをコントローラ/プロセッサ659に与えるために、データソース667が使用される。データソース667は、L2レイヤの上のすべてのプロトコルレイヤを表す。eNB 610によるDL送信に関して説明された機能と同様に、コントローラ/プロセッサ659は、ヘッダ圧縮、暗号化、パケットのセグメント化および並べ替え、ならびに、eNB 610による無線リソース割振りに基づく論理チャネルとトランスポートチャネルとの間の多重化を行うことによって、ユーザプレーンおよび制御プレーンのL2レイヤを実装する。コントローラ/プロセッサ659はまた、HARQ動作、損失パケットの再送、およびeNB 610へのシグナリングを担う。
【００４１】
適切な符号化および変調の方式を選択し、空間処理を容易にするために、eNB 610によって送信された基準信号またはフィードバックからチャネル推定器658によって導出されたチャネル推定値が、TXプロセッサ668によって使用され得る。TXプロセッサ668によって生成された空間ストリームは、別個の送信機654TXを介して、異なるアンテナ652に提供される。各送信機654TXは、送信用のそれぞれの空間ストリームを用いてRF搬送波を変調する。
【００４２】
UL送信は、eNB 610において、UE 650における受信機機能に関して説明された方法と同様の方法で処理される。各受信機618RXは、それぞれのアンテナ620を通じて信号を受信する。各受信機618RXは、RF搬送波上に変調された情報を復元し、この情報をRXプロセッサ670に与える。RXプロセッサ670は、L1レイヤを実装することができる。
【００４３】
コントローラ/プロセッサ675は、L2レイヤを実装する。コントローラ/プロセッサ675は、プログラムコードおよびデータを記憶するメモリ676と関連付けられ得る。メモリ676は、コンピュータ可読媒体と呼ばれ得る。ULでは、コントローラ/プロセッサ675は、トランスポートチャネルと論理チャネルとの間の多重化解除、パケット再構築、復号、ヘッダ圧縮解除、制御信号処理を行って、UE 650からの上位レイヤパケットを復元する。コントローラ/プロセッサ675からの上位レイヤパケットは、コアネットワークに与えられ得る。コントローラ/プロセッサ675はまた、HARQ動作をサポートするために、ACKおよび/またはNACKプロトコルを使用した誤り検出を担う。
【００４４】
図7は、異種ネットワーク(heterogeneous network)における範囲が拡張されたセルラー領域を示す図700である。RRH 710bのような低電力クラスeNBは、RRH 710bとマクロeNB 710aとの間の拡張セル間干渉調整(enhanced inter-cell interference coordination)を通じて、かつ、UE 720によって実行される干渉の打ち消しを通じて、セルラー領域702から拡張された、範囲が拡張されたセルラー領域703を有し得る。拡張セル間干渉調整(enhanced inter-cell interference coordination)において、RRH 710bは、UE 720の干渉の調整に関する情報をマクロeNB 710aから受信する。この情報により、RRH 710bは、範囲が拡張されたセルラー領域703においてUE 720にサービスし、UE 720が範囲が拡張されたセルラー領域703に入ったときにマクロeNB 710aからのUE 720のハンドオフを受け入れることが可能になる。
【００４５】
いくつかの異種ネットワークでは、サービングセルの復号性能は、干渉セルを処理することによって改善され得る。干渉セルは、異種ネットワークにおいて使用される無線アクセス技術とともに使用するのに適した任意の利用可能な技法を使用して、干渉を抑制し、打ち消し、または別様に管理するように処理され得る。干渉の源は、複数のREを含むDLサブフレームを送信する、1つまたは複数の基地局、リピータなどを含むことがあり、各REは、周波数および時間におけるOFDMサブキャリアを表す。UEは、これらのREに対応する干渉物のすべてを処理して、サービングセルに関する復号性能を最適化することができる。しかしながら、サブフレーム中のREのすべてに対する干渉物の各々を処理するために、UEの受信機の複雑さを上げなければならないことがある。その上、サブフレーム中のREのすべてに対する干渉物の各々を処理するために、UEの電力使用量を増やさなければならないこともある。
【００４６】
本発明のいくつかの実施形態は、受信機の複雑さを低減した状態で、干渉チャネルが処理されることを可能にする、優先順位付けの方式を利用する、システム、装置、および方法を提供する。この優先順位付けの方式は、たとえば、処理の間にあるREに対応するある干渉物の処理を選択的にスキップすることによって、性能の低下を最小限にしながら受信機の複雑さを低減することができる。受信機の複雑さは、チップエリア、処理遅延、電力消費量、メモリ使用量などの関数として表され得る。
【００４７】
優先順位は、本明細書ではTRセル(TRC)ペアと呼ばれるペアに割り当てられてよく、各TRCペアは、ターゲット領域および現在のセルに対応する。たとえば、TRCペアは(TR_Idx, Cell_Idx)として示され得る。5個のターゲット領域が定義され、信号が4個のセル(1個のサービングセルおよび3個の干渉セルを含む)から受信される例では、20個の順序付けられたペアのリストが(TRi, Cell_Idxj)として表され得る。優先順位はそのリスト中の20個のターゲット領域の各々に割り当てられてよく、優先順位は処理が進行するにつれて更新され得る。いくつかの実施形態では、TRは、同じチャネルタイプに対応するすべてのセルのREのセットを含む。
【００４８】
図8は、リソース要素のアレイとしてサブフレーム800を図示する、簡略化された表現である。いくつかの実施形態では、干渉セルおよびサービングセルの各サブフレーム800は、TR 802および804に分割される。各々のTR 802および804はREのセットを含む。TRCペアは、各々のTR 802または804およびサービングセルから、かつ、各々のTR 802または804および各干渉セルから形成される。各TRCペアは、開始点として処理の優先順位の初期値を割り当てられ、これが、各フレーム、各サブフレーム800、または各OFDMシンボルの先頭として定義され得る。いくつかのTRCペア802または804はNULLの優先順位値を割り当てられることがあり、対応するチャネルおよび/またはリソース要素が対応するセルに対して処理されないことを示す。
【００４９】
優先順位は通常、複雑さを低減しながら最終的なサービングセルの復号性能を最適化するように構成される、所定の論理を使用して割り当てられる。優先順位は、いくつかの基準、パラメータ、および特性に応じて割り当てられ得る。たとえば、初期の優先順位は、セルID、基準信号受信電力(RSRP)、およびチャネルのタイプのうちの1つまたは複数に基づいて決定され得る。優先順位はまた、受信機によって処理されたTR 802および804に対応する以前のTRCペアの情報に基づいて、決定および/または調整され得る。
【００５０】
いくつかの実施形態では、処理のための現在のTRCとして最高の優先順位をもつTRCを選択することによって、処理が始まる。残りのTRCの優先順位は、現在のTRCが処理された後で必要に応じて再評価され得る。残りの処理されていないセルおよびTR 802または804のペアを表す、TRCの新たなセットにおける優先順位の再評価は、現在のTRCの処理の結果(すなわち、以前の最高の優先順位のTRC)に基づき得る。新たなセットの中の最高の優先順位を伴うTRCが、次に処理され得る。この手順は、TRCのすべてが処理されるまで、または、残りのTRCのすべてが優先順位値NULLまたはある閾値未満の優先順位値を割り当てられるまで、繰り返される。
【００５１】
あるいは、手順はタイマーによって制限され得る。このタイマーは、TRCペアの干渉の処理のための最大の時間を定義し得る。ある態様では、干渉の処理は、干渉の打ち消しを含み得る。このタイマーは、干渉の打ち消しのために割り振られた処理時間、干渉打ち消し時間の一部、またはサブフレームの処理時間に基づいて設定され得る。さらに、TRCの処理は、バッテリーの電力、電力消費量、および、ある周波数領域、サブフレームのタイプ、または干渉物と関連付けられる干渉の打ち消しの成功率などの、他の要因によって制限され得る。
【００５２】
各干渉物のために処理されるREの数は、対応するTR 802または804の中のREを処理から排除するために、NULLの優先順位をより重要ではないTRCに割り当てることによって、減らされ得る。一例では、TRCペアへのNULLの優先順位の割当ては、almost blank subframe (ABS)の存在に基づき得る。ABSは通常、データトラフィックを伴わない、超低電力制御チャネルフレームを含む。単一のABS干渉セルは、物理制御フォーマットインジケータチャネル(PCFICH)およびその干渉セルに対応するTR 802または804を含むTRCペアに最高の優先順位を割り当てることによって打ち消されることが可能であり、これによって、このTRCペアが最初に処理されるようになる。PCFICHが検出されない場合、ABSが示され、NULLの優先順位が、干渉セルと関連付けられるPDCCHおよびPDSCHを含む、他のTRに対応するすべての他のTRCペアに割り当てられ得る。1つのサービングセルと2つの干渉セルを伴うある例示的な状況におけるTR(たとえば、PCFICH領域)の決定が、図9を参照して説明される。
【００５３】
図9は、1つのサービングセルおよび2つの干渉セルからの同時の信号送信を示す図900である。たとえば、OFDMシンボル902はサービングセル(たとえば、「セルA」)によって送信されてよく、OFDMシンボル904は第1の干渉セル(たとえば、「セルB」)によって送信されてよく、OFDMシンボル906は第2の干渉セル(たとえば、「セルC」)によって送信されてよい。図9の構成では、OFDMシンボル902、904、および906は、すべて同時に送信される。図9に示されるように、OFDMシンボル902、904、および906は、様々なRE(たとえば、RE 908)においてPCFICHを含む。ターゲット領域(「PCFICH領域」とも呼ばれる)は、PCFICHを含むOFDMシンボル902、904、および906の中の対応するREのいずれかを特定することによって、決定され得る。たとえば、図9では、RE 908はPCFICHを含むので、対応するRE 910はターゲット領域に含まれる。別の例として、RE 912、RE 914、およびRE 916はPCFICHを含まないので、対応するRE 918はターゲット領域に含まれない。したがって、図9では、ターゲット領域に含まれるREは影付きの領域によって示される。
【００５４】
ここで図8を参照すると、別の例では、PDSCHの干渉の打ち消しは、ULのみに対するグラントを有する単一の干渉セルを打ち消すことによって、避けられ得る。PCFICHおよび干渉セルに対応するTR 802または804を含むTRCペアに、最高の優先順位が割り当てられ得る。PCFICHが復号されるとき、制御間隔が決定されてよく、PDCCHに対応するTRCペア(TR 802または804)に最高の優先順位が割り当てられてよい。PDCCHは、そのタイプのグラントの復号を試みるように処理され得る。グラントがULグラントであると判定される場合、PDSCHに対応するTR 802または804にNULLの優先順位が割り当てられ得る。NULLの優先順位をPDSCHと関連付けられるTRCペアに割り当てる結果として、PDSCHは、対応するセルに対しては処理され得ない。
【００５５】
複数の干渉セルが存在することがあり、それらの干渉セルは異なるチャネル強度を示すことがある。干渉の打ち消しを実行する際、より強い干渉セルのTRを有するTRCペアは、より弱い干渉セルに割り当てられた優先順位よりも高い優先順位を割り当てられ得る。より高い優先順位のTR 802または804のREが次いで処理されてよく、干渉の打ち消しがそれらに対して実行されてよい。各干渉セルの処理の判断に基づいて、セルの優先順位が変更されてよく、TR 802または804に対応するいくつかのTRCペアはNULLの優先順位を割り当てられてよい。
【００５６】
図10は、ワイヤレス通信の方法のフローチャート1000である。この方法は、UE 720によって実行されてよい。ステップ1002において、UE 720はサブフレームを受信する。このサブフレームは、少なくとも1つの干渉送信機またはセルからの干渉を含み得る。
【００５７】
ステップ1004において、UE 720は、サブフレーム中のREを1つまたは複数のTRへとグループ化する。このグループ化は、ある基準に基づき得る。ターゲット領域の各々が、干渉送信機およびサービングセルの各々とペアにされてよく、これによって、複数のTRCペアを生成する。たとえば、TRは、PDCCHまたはPDSCHに割り振られたREを含み得る。別の例として、TRは、PCFICHまたは別の制御チャネルに割り振られたREを含み得る。
【００５８】
ステップ1006において、UE 720によるTRCペアの処理の優先順位が決定される。UE 720は、第1の干渉送信機から受信された第1の信号に基づいて、TRCペアの優先順位を初期化することができる。初期化された優先順位は、第2の干渉送信機から受信された第2の信号に基づいて、UE 720によって変更され得る。いくつかの実施形態では、TRCペアの優先順位は、1つまたは複数のTRにおける第1の信号の存在または不在に基づいて優先順位を割り当てることによって初期化され得る。一例では、第1の信号は、物理ダウンリンク制御チャネル、物理ダウンリンク共有チャネル、および物理制御フォーマットインジケータチャネルのうちの1つまたは複数を含む、REと関連付けられる。たとえば、第1の信号または第2の信号がPCFICHに割り振られたREと関連付けられる場合、UE 720は、PCFICHに割り振られたREを含むTRを有するTRCペアに最高の処理の優先順位を割り当てることによって、TRCペアの処理の優先順位を初期化することができる。たとえば、図9を参照して前に説明されたように、PCFICHに割り振られたREを含むTR(たとえば、PCFICH領域)は、サービングセルおよび/または1つまたは複数の干渉セルによって同時に送信されるOFDMシンボル中の、PCFICHに割り振られたREを特定することによって、決定され得る。PCFICHに割り振られたREを含むTRは、干渉送信機またはサービングセルの1つと関連付けられ得る。
【００５９】
いくつかの実施形態では、1つまたは複数のTRにおける第1の信号と第2の信号の相対的な電力レベルの決定に基づいて、優先順位がTRCペアに対して初期化される。いくつかの実施形態では、UE 720は、1つまたは複数のTRの中での第1の信号と第2の信号との電力レベルの差を求めることによって、TRCペアの優先順位を変更する。電力レベルは、物理ダウンリンク制御チャネル、物理ダウンリンク共有チャネル、および物理制御フォーマットインジケータチャネルのうちの1つまたは複数と関連付けられ得る。
【００６０】
いくつかの実施形態では、1つまたは複数のTRCペアの優先順位は、第1の干渉送信機と関連付けられるTRの電力レベルが第2の干渉送信機と関連付けられるTRの電力レベルよりも高いとき、第2の干渉送信機と関連付けられるTRCペアに割り当てられる優先順位よりも高い優先順位を、第1の干渉送信機と関連付けられるTRCペアに割り当てることによって、UE 720によって変更され得る。
【００６１】
ステップ1008において、UE 720は、TRCペアの処理の優先順位に基づく順序で、TRを処理する。
【００６２】
ステップ1010において、UE 720は、より多くのTRが処理されるべきかどうかを判定し、処理が完了している場合、ステップ1014で終了する。UE 720は、残りのTRCペアのうちで最高の優先順位を有するTRCペアと関連付けられる、処理されていないTRを処理することができる。UE 720は、NULLの優先順位レベルを伴うTRCペアのみが残っているとき、処理するさらなるTRはないと判定することができる。UE 720は、残りのTRCペアが閾値未満の優先順位レベルを有するとき、処理するさらなるTRはないと判定することができる。この閾値は、セルの復号と干渉打ち消しのオーバーヘッドとのトレードオフに基づいて設定され得る。この閾値は、電力および/またはメモリの使用量と他のそのような考慮事項に基づいて設定され得る。
【００６３】
より多くのTRが処理されるべきであると判定される場合、UE 720は、再優先順位付けがステップ1006において実行されるべきかどうかをステップ1012において判定し、実行されるべきではない場合、UE 720は、TRCの優先順位に基づいて、ステップ1008において次のTRを処理する。UE 720は、以前のTRの処理の結果に基づいて、ステップ1006において、処理されていないTRCペアの処理の優先順位を変更することができる。UE 720は、以前のTRの処理の結果がダウンリンクグラントの不在を示すとき、NULLの優先順位をTRCペアに割り当てることによって、残りのTRCペアの処理の優先順位を変更することができる。以前のTRの処理の結果が、物理ダウンリンク制御チャネル、物理ダウンリンク共有チャネル、および物理制御フォーマットインジケータチャネルのうちの1つまたは複数の不在を示すとき、UE 720は、NULLの優先順位をTRCペアに割り当てることによって、残りのTRCペアの処理の優先順位を変更することができる。
【００６４】
図11は、例示的な装置1102における異なるモジュール/手段/コンポーネント間のデータフローを示す概念的なデータフロー図1100である。装置は、UE 720であり得る。装置は、eNB 1150からDLサブフレームを受信するモジュール1104、サブフレーム中のREを処理するモジュール1106、UE 720による使用のためにサブフレームを復号する復号モジュール1108、サブフレーム中のTRを特定するリソースグループ化およびペア化モジュール1110、処理の優先順位をTRおよび/またはREに割り当てる優先順位決定モジュール1112、ならびに、UE 720のためのUL通信を処理する送信モジュール1114を含む。
【００６５】
装置は、上述された図10のフローチャート内のアルゴリズムのステップの各々を実行する追加のモジュールを含み得る。そのため、上述された図10のフローチャート内の各ステップは、モジュールによって実行されてよく、装置は、これらのモジュールの1つまたは複数を含み得る。モジュールは、指定されたプロセス/アルゴリズムを実行するように特別に構成された1つもしくは複数のハードウェアコンポーネントであってよく、指定されたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００６６】
図12は、処理システム1214を採用する装置1102'のためのハードウェア実装の一例を示す図1200である。処理システム1214は、バス1224によって全般に表されるバスアーキテクチャで実装され得る。バス1224は、処理システム1214の具体的な用途および全体的な設計制約に応じて、任意の数の相互接続するバスおよびブリッジを含み得る。バス1224は、プロセッサ1204によって表される1つまたは複数のプロセッサおよび/またはハードウェアモジュール、モジュール1104、1106、1108、1110、1112、1114、ならびにコンピュータ可読媒体1206を含む、様々な回路を互いにつなぐ。バス1224は、タイミングソース、周辺機器、電圧調整器、および電力管理回路などの様々な他の回路をつなぐこともでき、これらの回路は当技術分野でよく知られており、したがってこれ以上は説明されない。
【００６７】
処理システム1214は、トランシーバ1210に結合され得る。トランシーバ1210は、1つまたは複数のアンテナ1220に結合される。トランシーバ1210は、送信媒体を通じて様々な他の装置と通信するための手段を提供する。処理システム1214は、コンピュータ可読媒体1206に結合されたプロセッサ1204を含む。プロセッサ1204は、コンピュータ可読媒体1206上に記憶されたソフトウェアの実行を含む全般的な処理を担う。ソフトウェアは、プロセッサ1204によって実行されると、任意の特定の装置に対して上で説明された様々な機能を処理システム1214に実行させる。コンピュータ可読媒体1206は、ソフトウェアを実行するときにプロセッサ1204によって操作されるデータを記憶するために使用されてもよい。処理システムは、モジュール1104、1106、1108、1110、1112、および1114のうちの少なくとも1つをさらに含む。モジュールは、コンピュータ可読媒体1206の中に存在する/記憶される、プロセッサ1204で実行されるソフトウェアモジュール、プロセッサ1204に結合された1つもしくは複数のハードウェアモジュール、またはそれらの何らかの組合せであってよい。処理システム1214は、UE 650のコンポーネントであってよく、メモリ660、ならびに/または、TXプロセッサ668、RXプロセッサ656、およびコントローラ/プロセッサ659のうちの少なくとも1つを含み得る。
【００６８】
一構成では、ワイヤレス通信のための装置1102/1102'は、サブフレームを受信するための受信手段1104、サブフレーム中のREを特定し、かつ/または1つまたは複数のTRへとグループ化して、TRをサービングセルおよび干渉セルとペアにするためのグループ化およびペア化手段1110、複数のTRの間での処理の優先順位を決定するための優先順位決定手段1112、ならびに、優先順位に基づく順序で複数のTRからの選択されたTRを処理するための処理手段を含む。ワイヤレス通信のための装置1102/1102'は通常、セルを復号するための復号手段1108と、アップリンク通信を管理するための送信手段1114とを含む。
【００６９】
上述の手段は、装置1102の上述のモジュールおよび/または上述の手段によって列挙される機能を実行するように構成された装置1102'の処理システム1214のうちの1つまたは複数であってよい。上で説明されたように、処理システム1214は、TXプロセッサ668と、RXプロセッサ656と、コントローラ/プロセッサ659とを含み得る。したがって、一構成では、上述の手段は、上述の手段によって列挙された機能を実行するように構成された、TXプロセッサ668、RXプロセッサ656、およびコントローラ/プロセッサ659であり得る。
【００７０】
開示されたプロセスにおけるステップの具体的な順序または階層は、例示的な手法の例示であることを理解されたい。設計上の選好に基づいて、プロセスにおけるステップの具体的な順序または階層は再構成可能であることを理解されたい。さらに、いくつかのステップが組み合わされてよく、または省略されてよい。添付の方法の請求項は、様々なステップの要素を例示的な順序で提示したものであり、提示された特定の順序または階層に限定されることは意図されない。
【００７１】
上の説明は、本明細書で説明される様々な態様を当業者が実践できるようにするために与えられる。これらの態様への様々な変更は当業者には容易に明らかであり、本明細書で定義された一般的原理は他の態様に適用され得る。したがって、特許請求の範囲は本明細書で示される態様に限定されることは意図されておらず、文言通りの特許請求の範囲と整合するすべての範囲を許容することが意図されており、単数の要素への言及は、そのように明記されていない限り、「唯一無二の」ではなく、「1つまたは複数の」を意味することが意図されている。別段に明記されていない限り、「いくつかの」という用語は「1つまたは複数の」を指す。当業者に既知であるまたは後で既知になる、本開示全体にわたって説明される様々な態様の要素に対するすべての構造的および機能的等価物は、参照により本明細書に明確に組み込まれ、特許請求の範囲によって含まれることが意図される。その上、本明細書で開示される内容は、そのような開示が特許請求の範囲で明示的に記載されているかどうかにかかわらず、公に供することは意図されていない。いかなる請求項の要素も、要素が「ための手段」という語句を使用して明確に記載されていない限り、ミーンズプラスファンクション(means plus function)として解釈されるべきではない。
【符号の説明】
【００７２】
100  EPS
102  ユーザ機器
104  E-UTRAN
106  eNodeB
108  他のeNodeB
110  EPC
112  MME
114  他のMME
116  サービングゲートウェイ
118  PDNゲートウェイ
120  HSS
122  事業者のIPサービス
200  アクセスネットワーク
202  セル
204  マクロeNB
206  UE
208  低電力クラスeNB
210  セルラー領域
300  DLフレーム構造
302  R
304  R
410a  リソースブロック
410b  リソースブロック
420a  リソースブロック
420b  リソースブロック
430  物理ランダムアクセスチャネル
506  L1レイヤ
508  L2レイヤ
510  媒体アクセス制御サブレイヤ
512  無線リンク制御サブレイヤ
514  パケットデータコンバージェンスプロトコルサブレイヤ
516  無線リソース制御サブレイヤ
610  eNB
616  送信プロセッサ
618  送信機  受信機
620  アンテナ
652  アンテナ
654  受信機  送信機
656  受信プロセッサ
658  チャネル推定器
659  コントローラ/プロセッサ
660  メモリ
662  データシンク
667  データソース
668  送信プロセッサ
670  受信プロセッサ
674  チャネル推定器
675  コントローラ/プロセッサ
676  メモリ
702  セルラー領域
703  範囲が拡張されたセルラー領域
710a RRH
710b RRH
720  UE
802  TR
804  TR
902  OFDMシンボル
904  OFDMシンボル
906  OFDMシンボル
908  RE
910  RE
912  RE
914  RE
916  RE
918  RE
1102  装置
1102'  装置
1104  受信モジュール
1106  処理モジュール
1108  復号モジュール
1110  REグループ化およびペア化モジュール
1112  優先順位決定モジュール
1114  送信モジュール
1150  eNB
1204  プロセッサ
1206  コンピュータ可読媒体
1210  トランシーバ
1214  処理システム
1220  アンテナ
1224  バス
【図１】
2015523034.tif 000003
【図２】
2015523034.tif 000004
【図３】
2015523034.tif 000005
【図４】
2015523034.tif 000006
【図５】
2015523034.tif 000007
【図６】
2015523034.tif 000008
【図７】
2015523034.tif 000009
【図８】
2015523034.tif 000010
【図９】
2015523034.tif 000011
【図１０】
2015523034.tif 000012
【図１１】
2015523034.tif 000013
【図１２】
2015523034.tif 000014
【国際調査報告】
2015523034.tif 000015
2015523034.tif 000016
2015523034.tif 000017